【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
水と油とを所定割合で混合した混合物の導電率及び誘電率が人体の脂肪と等価に調整されるとともに、ゲル状物質とされたことを特徴とする脂肪等価ファントム。
【請求項２】
前記水と前記油との混合割合は、略１対１であることを特徴とする請求項１に記載の脂肪等価ファントム。
【請求項３】
前記混合物の導電率及び誘電率がイオン性界面活性剤又は塩によって調整されたことを特徴とする請求項１又は２に記載の脂肪等価ファントム。
【請求項４】
水と油とを所定割合で混合する工程と、
前記水と前記油との混合物の導電率及び誘電率を人体の脂肪と等価に調整する工程と、
前記混合物をゲル化して、ゲル状の脂肪等価ファントムを得る工程と、を有することを特徴とする脂肪等価ファントムの作成方法。
【請求項５】
前記混合物の導電率及び誘電率をイオン性界面活性剤又は塩によって調整することを特徴とする請求項４に記載の脂肪等価ファントムの作成方法。
【請求項６】
脂肪厚のパターンの異なる複数の脂肪等価ファントムと筋肉等価ファントムとからなる二層構造の人体モデルを作成する工程と、
前記脂肪等価ファントムの表面に配置された複数の電極の間隔を変えながら、前記人体モデルの脂肪厚の異なる複数のパターンの見掛け比抵抗を測定し、保存する工程と、
被検者について観測された見掛け比抵抗から、保存された前記複数のパターンの見掛け比抵抗を参照して、該被検者の脂肪厚を推定する工程と、を有することを特徴とする脂肪厚推定方法。
【請求項７】
脂肪厚のパターンの異なる複数の脂肪等価ファントムと筋肉等価ファントムとからなる二層構造の人体モデルについて、前記脂肪等価ファントムの表面に配置された複数の電極の間隔を変えながら、前記人体モデルの脂肪厚の異なる複数のパターンの見掛け比抵抗を測定し、保存する手段と、
被検者について観測された見掛け比抵抗から、保存された前記複数のパターンの見掛け比抵抗を参照して、該被検者の脂肪厚を推定する手段と、を備えることを特徴とする脂肪厚推定装置。
【手続補正２】
【補正対象書類名】明細書
【補正対象項目名】発明の名称
【補正方法】変更
【補正の内容】
【発明の名称】脂肪等価ファントム及びその作成方法、このファントムを用いた脂肪厚推定方法、並びに脂肪厚推定装置
【手続補正３】
【補正対象書類名】明細書
【補正対象項目名】０００１
【補正方法】変更
【補正の内容】
【０００１】
本発明は、人体の脂肪に物理的特性を模擬した脂肪等価ファントム及びその作成方法、ファントムを用いた脂肪厚推定方法、並びに脂肪厚推定装置に関する。
【手続補正４】
【補正対象書類名】明細書
【補正対象項目名】００１０
【補正方法】変更
【補正の内容】
【００１０】
また、本発明の他の目的は、脂肪等価ファントムと筋肉等価ファントムとからなる二層構造の生体模擬モデルを用いて、体の部位毎の局所的な体脂肪測定を可能にした脂肪厚推定方法、及び脂肪厚推定装置を提供することにある。
【手続補正５】
【補正対象書類名】明細書
【補正対象項目名】００１１
【補正方法】変更
【補正の内容】
【００１１】
本発明は、上述の課題を解決するために、以下の事項を提案している。
（１）本発明は、水と油とを所定割合で混合した混合物の導電率及び誘電率が人体の脂肪と等価に調整されるとともに、ゲル状物質とされたことを特徴とする脂肪等価ファントムを提案している。
【手続補正６】
【補正対象書類名】明細書
【補正対象項目名】００１２
【補正方法】変更
【補正の内容】
【００１２】
（２）本発明は、（１）の脂肪等価ファントムについて、水と油との混合割合が略１対１であることを特徴とする脂肪等価ファントムを提案している。
【手続補正７】
【補正対象書類名】明細書
【補正対象項目名】００１３
【補正方法】変更
【補正の内容】
【００１３】
（３）本発明は、（１）又は（２）の脂肪等価ファントムについて、上記混合物の導電率及び誘電率がイオン性界面活性剤又は塩によって調整されたことを特徴とする脂肪等価ファントムを提案している。
【手続補正８】
【補正対象書類名】明細書
【補正対象項目名】００１４
【補正方法】変更
【補正の内容】
【００１４】
（４）本発明は、水と油とを所定割合で混合する工程と、水と油との混合物の導電率及び誘電率を人体の脂肪と等価に調整する工程と、この混合物をゲル化して、ゲル状の脂肪等価ファントムを得る工程と、を有することを特徴とする脂肪等価ファントムの作成方法を提案している。
【手続補正９】
【補正対象書類名】明細書
【補正対象項目名】００１５
【補正方法】変更
【補正の内容】
【００１５】
（５）本発明は、（４）の脂肪等価ファントムの作成方法において、上記混合物の導電率及び誘電率をイオン性界面活性剤又は塩によって調整することを特徴とする脂肪等価ファントムの作成方法を提案している。
【手続補正１０】
【補正対象書類名】明細書
【補正対象項目名】００１６
【補正方法】変更
【補正の内容】
【００１６】
（６）本発明は、脂肪厚のパターンの異なる複数の脂肪等価ファントムと筋肉等価ファントムとからなる二層構造の人体モデルを作成する工程と、脂肪等価ファントムの表面に配置された複数の電極の間隔を変えながら、人体モデルの脂肪厚の異なる複数のパターンの見掛け比抵抗を測定し、保存する工程と、被検者について観測された見掛け比抵抗から、保存された複数のパターンの見掛け比抵抗を参照して、該被検者の脂肪厚を推定する工程と、を有することを特徴とする脂肪厚推定方法を提案している。
【手続補正１１】
【補正対象書類名】明細書
【補正対象項目名】００１７
【補正方法】変更
【補正の内容】
【００１７】
（７）本発明は、脂肪厚のパターンの異なる複数の脂肪等価ファントムと筋肉等価ファントムとからなる二層構造の人体モデルについて、脂肪等価ファントムの表面に配置された複数の電極の間隔を変えながら、人体モデルの脂肪厚の異なる複数のパターンの見掛け比抵抗を測定し、保存する手段と、被検者について観測された見掛け比抵抗から、保存された複数のパターンの見掛け比抵抗を参照して、該被検者の脂肪厚を推定する手段と、を備えることを特徴とする脂肪厚推定装置を提案している。
【手続補正１２】
【補正対象書類名】明細書
【補正対象項目名】００１８
【補正方法】変更
【補正の内容】
【００１８】
本発明によれば、水と油とを混合し、導電率及び誘電率を人体の脂肪と等価に調整し、ゲル状にすることで、人体の脂肪を模擬した脂肪等価ファントムを生成することができるという効果がある。
【手続補正１３】
【補正対象書類名】明細書
【補正対象項目名】００１９
【補正方法】変更
【補正の内容】
【００１９】
また、本発明によれば、脂肪厚のパターンの異なる複数の脂肪等価ファントムと筋肉等価ファントムとからなる二層構造の人体モデルを作成し、脂肪等価ファントムの表面に配置された複数の電極の間隔を変えながら、人体モデルの脂肪厚の異なる複数のパターンの見掛け比抵抗を測定して保存し、被検者について観測された見掛け比抵抗から、保存された複数のパターンの見掛け比抵抗を参照して、該被検者の脂肪厚を推定することで、体の部位毎の局所的な体脂肪測定が可能になるという効果がある。
【手続補正１４】
【補正対象書類名】明細書
【補正対象項目名】００６４
【補正方法】変更
【補正の内容】
【００６４】
被検者の見掛け比抵抗を、電極間隔を変えながら、測定する（工程Ｓ１０４）。被検者から観測された見掛け比抵抗のデータから、ステップＳ１０３で予め保存しておいた多数のパターンの二重構造の人体モデルにより測定した見掛け比抵抗のデータを参照して、被検者の脂肪厚を推定する（工程Ｓ１０５）。